(57)【要約】      （修正有）【課題】データを記録可能なメディアの種類が複数のメディアドライブで異なる場合、処理効率が低下することなくデータを記録できるようにする。【解決手段】メディア処理システム１０００において、第１メディアドライブ２０Ａ及び第２メディアドライブ２０Ｂによってメディアにデータを記憶可能なパブリッシャー１は、パブリッシャー制御部１００とパブリッシャー記憶部１２０とを備える。パブリッシャー制御部は、第１メディアドライブによりデータを記録可能なメディアの種類を検出し第２メディアドライブによりデータを記録可能なメディアの種類を検出し、第１メディアドライブ及び第２メディアドライブにおいてデータを記録可能なメディアの種類を記録対象種類とし、前記メディアドライブのいずれか一方のみでデータを記録可能なメディアの種類を記録非対象種類とし、記録対象種類及び記録非対象種類を示す対象種類情報を記憶させる。【選択図】図３
2020181625.tif 000002
【特許請求の範囲】
【請求項１】
第１のデータ記録機器、及び、第２のデータ記録機器によって、データ記録媒体にデータの処理を行う記録媒体処理装置であって、
前記第１のデータ記録機器、及び、前記第２のデータ記録機器を制御する制御部と、
記憶部と、を備え、
前記制御部は、
前記第１のデータ記録機器により前記データを処理可能な前記データ記録媒体を検出し、
前記第２のデータ記録機器により前記データを処理可能な前記データ記録媒体を検出し、
検出結果に基づいて、前記第１のデータ記録機器、及び、前記第２のデータ記録機器において、前記データを処理可能な前記データ記録媒体を、前記データの処理対象とする対象媒体とし、
前記検出結果に基づいて、前記第１のデータ記録機器、及び、前記第２のデータ記録機器の一方で前記データを処理可能であり、他方で前記データを処理不可能な前記データ記録媒体を、前記データの処理対象としない非対象媒体とし、
前記記憶部は、
前記対象媒体、及び、前記非対象媒体を示す対象情報を記憶する、
記録媒体処理装置。
【請求項２】
前記第１のデータ記録機器、又は、前記第２のデータ記録機器を、第３のデータ記録機器に交換した場合、前記制御部は、前記第３のデータ記録機器により前記データを処理可能な前記データ記録媒体を検出し、検出結果に基づいて、前記記憶部に記憶した前記対象情報を更新する、
請求項１に記載の記録媒体処理装置。
【請求項３】
前記制御部は、
前記データ記録媒体に対して、前記第１のデータ記録機器、又は、前記第２のデータ記録機器による前記データの処理の要求を受けた場合、
前記対象媒体に対する処理の要求であれば、前記第１のデータ記録機器、又は、前記第２のデータ記録機器による前記データの処理を実行し、
前記非対象媒体に対する処理の要求であれば、前記第１のデータ記録機器、又は、前記第２のデータ記録機器による前記データの処理を実行しない、
請求項１に記載の記録媒体処理装置。
【請求項４】
第１のデータ記録機器、又は、第２のデータ記録機器によって、データ記録媒体にデータの処理を行う記録媒体処理装置の制御方法であって、
前記第１のデータ記録機器により前記データを処理可能な前記データ記録媒体を検出し、
前記第２のデータ記録機器により前記データを処理可能な前記データ記録媒体を検出し、
検出結果に基づいて、前記第１のデータ記録機器、及び、前記第２のデータ記録機器において、前記データを処理可能な前記データ記録媒体を、前記データの処理対象とする対象媒体とし、
前記検出結果に基づいて、前記第１のデータ記録機器、及び、前記第２のデータ記録機器の一方で前記データを処理可能であり、他方で前記データを処理不可能な前記データ記録媒体を、前記データの処理対象としない非対象媒体とし、
前記対象媒体、及び、前記非対象媒体を示す対象情報を記憶する、
記録媒体処理装置の制御方法。
【請求項５】
複数のデータ記録機器によって、データ記録媒体にデータの処理を行う記録媒体処理装置の制御方法であって、
複数の前記データ記録機器により前記データを処理可能な前記データ記録媒体を検出し、
検出結果に基づいて、複数の前記データ記録機器の全てにおいて、前記データを処理可能な前記データ記録媒体を、前記データの処理対象とする対象媒体とし、
前記検出結果に基づいて、複数の前記データ記録機器のうち、一の前記データ記録機器で前記データを処理不可能な前記データ記録媒体を、前記データの処理対象としない非対象媒体とし、
前記対象媒体、及び、前記非対象媒体を示す対象情報を記憶する、
記録媒体処理装置の制御方法。
【発明の詳細な説明】
【技術分野】
【０００１】
本発明は、記録媒体処理装置、及び、記録媒体処理装置の制御方法に関する。
【背景技術】
【０００２】
従来、ＣＤ（Ｃｏｍｐａｃｔ  Ｄｉｓｃ）や、ＤＶＤ（Ｄｉｇｉｔａｌ  Ｖｅｒｓａｔｉｌｅ  Ｄｉｓｃ）、ＢＤ（Ｂｌｕ−ｒａｙ（登録商標）  Ｄｉｓｃ）等のデータ記録媒体にデータを処理する技術が知られている。例えば、特許文献１では、ＣＤ、ＤＶＤ、又は、ＢＤの記録面にデータの処理が可能なデータ記録機器たるメディアドライブを複数備えるパブリッシャーを開示する。
【先行技術文献】
【特許文献】
【０００３】
【特許文献１】特開２０１３−１９１２５３号公報
【発明の概要】
【発明が解決しようとする課題】
【０００４】
一般に、特許文献１記載のメディアドライブのようなデータ記録機器には、データを処理可能なデータ記録媒体の種類（ＣＤ、ＤＶＤ、又は、ＢＤ等）が定められている。そのため、特許文献１記載のパブリッシャーのような装置は、複数のデータ記録機器の間で処理可能なデータ記録媒体の種類が異なる場合がある。この場合、例えば、一のデータ記録機器で処理可能であり、別のデータ記録機器では処理不可能なデータ記録媒体を、データの記録対象にしてしまうと、データ記録媒体の種類によっては、処理を変えなくてはならない。その結果、処理は複雑化し、処理効率が低下する虞がある。
【課題を解決するための手段】
【０００５】
上記課題を解決する一態様は、第１のデータ記録機器、及び、第２のデータ記録機器によって、データ記録媒体にデータの処理を行う記録媒体処理装置であって、前記第１のデータ記録機器、及び、前記第２のデータ記録機器を制御する制御部と、記憶部と、を備え、前記制御部は、前記第１のデータ記録機器により前記データを処理可能な前記データ記録媒体を検出し、前記第２のデータ記録機器により前記データを処理可能な前記データ記録媒体を検出し、検出結果に基づいて、前記第１のデータ記録機器、及び、前記第２のデータ記録機器において、前記データを処理可能な前記データ記録媒体を、前記データの処理対象とする対象媒体とし、前記検出結果に基づいて、前記第１のデータ記録機器、及び、前記第２のデータ記録機器の一方で前記データを処理可能であり、他方で前記データを処理不可能な前記データ記録媒体を、前記データの処理対象としない非対象媒体とし、前記記憶部は、前記対象媒体、及び、前記非対象媒体を示す対象情報を記憶する、記録媒体処理装置である。
【０００６】
上記記録媒体処理装置において、前記第１のデータ記録機器、又は、前記第２のデータ記録機器を、第３のデータ記録機器に交換した場合、前記制御部は、前記第３のデータ記録機器により前記データを処理可能な前記データ記録媒体を検出し、検出結果に基づいて、前記記憶部に記憶した前記対象情報を更新する、構成でもよい。
【０００７】
上記記録媒体処理装置において、前記制御部は、前記データ記録媒体に対して、前記第１のデータ記録機器、又は、前記第２のデータ記録機器による前記データの処理の要求を受けた場合、前記対象媒体に対する処理の要求であれば、前記第１のデータ記録機器、又は、前記第２のデータ記録機器による前記データの処理を実行し、前記非対象媒体に対する処理の要求であれば、前記第１のデータ記録機器、又は、前記第２のデータ記録機器による前記データの処理を実行しない、構成でもよい。
【０００８】
上記課題を解決する別の一態様は、第１のデータ記録機器、又は、第２のデータ記録機器によって、データ記録媒体にデータの処理を行う記録媒体処理装置の制御方法であって、前記第１のデータ記録機器により前記データを処理可能な前記データ記録媒体を検出し、前記第２のデータ記録機器により前記データを処理可能な前記データ記録媒体を検出し、検出結果に基づいて、前記第１のデータ記録機器、及び、前記第２のデータ記録機器において、前記データを処理可能な前記データ記録媒体を、前記データの処理対象とする対象媒体とし、前記検出結果に基づいて、前記第１のデータ記録機器、及び、前記第２のデータ記録機器の一方で前記データを処理可能であり、他方で前記データを処理不可能な前記データ記録媒体を、前記データの処理対象としない非対象媒体とし、前記対象媒体、及び、前記非対象媒体を示す対象情報を記憶する、記録媒体処理装置の制御方法である。
【図面の簡単な説明】
【０００９】
【図１】パブリッシャーの構成を示す正面図。
【図２】パブリッシャーの筐体の内部を上から見た平面図。
【図３】パブリッシャーの機能的構成を示す図。
【図４】パブリッシャーの動作を示すフローチャート。
【図５】パブリッシャーの動作を示すフローチャート。
【図６】メディア処理システムの構成を示す図。
【図７】制御装置の動作を示すフローチャート。
【図８】制御装置の動作を示すフローチャート。
【発明を実施するための形態】
【００１０】
［第１実施形態］
まず、第１実施形態について説明する。
図１は、パブリッシャー１の構成を示す正面図である。図２は、パブリッシャー１の筐体１０の内部を上から見た平面図である。パブリッシャー１は、記録媒体処理装置の一例に対応する。
【００１１】
ここで、パブリッシャー１の設置状態における前方を符号ＦＲで示す。また、パブリッシャーの後方を符号ＲＲで示す。また、パブリッシャー１の右方を符号Ｒで示し、左方を符号Ｌで示し、上方を符号ＵＰで示し、下方を符号ＤＮで示す。これら方向は図１、及び図２において共通である。
【００１２】
パブリッシャー１は、例えばＣＤやＤＶＤ、ＢＤ等の円板状のメディアＭへのデータの書き込みや、メディアＭからのデータの読み出し、メディアＭのレーベル面への画像の印刷等の処理を実行する装置である。メディアＭは、データ記録媒体の一例に対応する。
【００１３】
図１に示すように、パブリッシャー１の筐体１０の内部は、仕切部１１によって上下に仕切られている。以下の説明では、筐体１０の仕切部１１の上方を「筐体上部」といい「１２」の符号を付し、また、筐体１０の仕切部１１の下方を「筐体下部」といい「１３」の符号を付す。
【００１４】
筐体上部１２には、第１メディアドライブ２０Ａと第２メディアドライブ２０Ｂとの２つのメディアドライブ２０、レーベルプリンター３０、第１スタッカー４０Ａ、第２スタッカー４０Ｂ、及び、搬送部６０が設けられる。第１メディアドライブ２０Ａは、第１のデータ記録機器の一例に対応する。第２メディアドライブ２０Ｂは、第２のデータ記録機器の一例に対応する。
【００１５】
第１メディアドライブ２０Ａは、メディアＭの記録面に対してレーザー光を照射してデータの記録（書き込み）、及び、データの読み出しを行う機器である。例えば、第１メディアドライブ２０Ａは、ＣＤ及びＤＶＤに対応する機器である場合、ＣＤ及びＤＶＤのそれぞれに対応する波長のレーザー光を照射する記録ヘッドを有する。第１メディアドライブ２０Ａは、メディアドライブ本体２１Ａと、メディアドライブ本体２１Ａに対して前後方向に引き出し可能なトレイであるドライブトレイ２２Ａとを有する。ドライブトレイ２２Ａの上面には、メディアＭが載置される略円形の凹部２３が形成されている。ドライブトレイ２２Ａは、メディアＭへのデータの記録及び読み出しを行う処理位置と、搬送部６０のアーム部６１によってメディアＭの受け渡しを行う受渡位置との間を、前後方向に移動可能である。なお、図２では、受取位置に位置し、メディアＭが載置されたドライブトレイ２２Ａを示している。
【００１６】
第２メディアドライブ２０Ｂは、メディアＭの記録面に対してレーザー光を照射してデータの記録、及び、データの読み出しを行う機器である。例えば、第２メディアドライブ２０Ｂは、ＣＤ、ＤＶＤ、及びＢＤに対応する機器である場合、ＣＤ、ＤＶＤ、及びＢＤのそれぞれに対応する波長のレーザー光を照射する記録ヘッドを有する。第２メディアドライブ２０Ｂは、メディアドライブ本体２１Ｂと、メディアドライブ本体２１Ｂに対して前後方向に引き出し可能に設けられたトレイであるドライブトレイ２２Ｂとを有する。ドライブトレイ２２Ｂの上面には、ドライブトレイ２２Ａと同様に、メディアＭが載置される略円形の凹部が形成されている。ドライブトレイ２２Ｂは、メディアＭへのデータの記録及び読み出しを行う処理位置と、搬送部６０のアーム部６１によってメディアＭの受け渡しを行う受渡位置との間を、前後方向に移動可能に構成される。
【００１７】
レーベルプリンター３０は、左右方向に走査するキャリッジ３０１やキャリッジ３０１に搭載されたインクジェットヘッド３０２等の印刷機構を備え、メディアＭのレーベル面に画像を印刷する印刷装置である。レーベルプリンター３０は、プリンター本体３１と、プリンター本体３１に対して引き出し可能に設けられたトレイであるプリンタートレイ３２とを有する。プリンタートレイ３２には、ドライブトレイ２２Ａ、２２Ｂと同様に、メディアＭが載置される略円形の凹部が形成されている。プリンタートレイ３２は、メディアＭのレーベル面への画像の印刷を行う印刷位置と、搬送部６０のアーム部６１によってメディアＭの受け渡しを行う受渡位置との間を、前後方向に移動可能に構成される。
【００１８】
第１メディアドライブ２０Ａ、第２メディアドライブ２０Ｂ、及び、レーベルプリンター３０とは、筐体上部１２において、後述するガイド６２の左後方に、上下方向に並んで一列に設けられている。詳細には、第１メディアドライブ２０Ａ、第２メディアドライブ２０Ｂ、及び、レーベルプリンター３０は、受取位置に位置するドライブトレイ２２Ａに載置されるメディアＭの中心軸線と、受取位置に位置するドライブトレイ２２Ｂに載置されるメディアＭの中心軸線と、受取位置に位置するプリンタートレイ３２に載置されたメディアＭの中心軸線と、が同じ軸線となるように上下方向に並んで筐体上部１２に設けられている。
【００１９】
図１に示すように、筐体上部１２には、メディアＭを収納する収納部として、第１スタッカー４０Ａ、及び、第２スタッカー４０Ｂが設けられる。
【００２０】
第１スタッカー４０Ａは、例えば数十枚程度のメディアＭが積載された状態で収納可能な円筒形状の第１スタッカー収納部４１Ａを有する。第１スタッカー収納部４１Ａは、筐体１０の内部において、筐体１０に固定された第１スタッカーベース４２Ａに対して、着脱可能に支持される。第１スタッカー収納部４１Ａの外壁の一部には、下方に向かって長尺に切り欠かれた切り欠き部４３Ａが形成される。この切り欠き部４３Ａによって、搬送部６０のアーム部６１は、第１スタッカー収納部４１Ａの下部まで進行可能である。
【００２１】
第２スタッカー４０Ｂは、例えば数十枚程度のメディアＭが積載された状態で収納可能な円筒形状の第２スタッカー収納部４１Ｂを有する。第２スタッカー収納部４１Ｂは、筐体１０の内部において、筐体１０に固定された第２スタッカーベース４２Ｂに対して、着脱可能に支持される。また、第２スタッカーベース４２Ｂは、第１スタッカー４０Ａの下方に、第２スタッカー収納部４１Ｂの上端と、第１スタッカーベース４２Ａの下面との間に、搬送部６０のアーム部６１が挿入可能な間隙Ｋを空けて、第２スタッカーベース４２Ｂに着脱可能に支持される。第２スタッカー収納部４１Ｂの外壁の一部には、下方に向かって長尺に切り欠かれた切り欠き部４３Ｂが形成される。この切り欠き部４３Ｂによって、搬送部６０のアーム部６１は、第２スタッカー収納部４１Ｂの下部まで進行可能である。
【００２２】
図１、及び図２に示すように、第１スタッカー４０Ａ、第２スタッカー４０Ｂは、筐体上部１２において、後述するガイド６２の右前方に、上下方向に並んで一列に設けられている。詳細には、第１スタッカー４０Ａと、第２スタッカー４０Ｂとは、収納されるメディアＭの中心軸線が同じ軸線となるように、上下方向に並んで筐体上部１２に設けられている。
【００２３】
また、図１、及び図２に示すように、筐体上部１２には、第１スタッカー４０Ａ、第２スタッカー４０Ｂ、第３スタッカー５０、第１メディアドライブ２０Ａ、第２メディアドライブ２０Ｂ、及び、レーベルプリンター３０の間でメディアＭを搬送する搬送部６０が設けられる。
【００２４】
搬送部６０は、アーム部６１と、アーム部６１を支持するガイド６２とを備える。ガイド６２は、第１スタッカー４０Ａ、及び、第２スタッカー４０Ｂの後方であって、且つ、第１メディアドライブ２０Ａ、第２メディアドライブ２０Ｂ、及び、レーベルプリンター３０の右方向に設けられる。ガイド６２は、長尺な棒状に形成されており、仕切部１１の上面１１Ａに立設されている。アーム部６１は、ガイド６２の軸方向に沿って上下方向に移動すると共に、ガイド６２の軸を中心に回動するアーム駆動部６３に支持されている。また、アーム部６１の先端には、メディアＭをリリース可能に把持するメディア把持部６４が設けられている。
【００２５】
アーム駆動部６３には、ガイド６２におけるアーム駆動部６３の上下方向の位置や、ガイド６２の軸を中心としたアーム駆動部６３の回動位置を検出するアーム検出センサーが設けられている。アーム検出センサーについては図示を省略している。アーム検出センサーにより検出されたアーム駆動部６３のガイド６２上の位置に基づいて、後述するパブリッシャー制御部１００は、メディア把持部６４に把持されたメディアＭの位置を検出可能である。
【００２６】
また、図１、及び図２に示すように、筐体上部１２には、第１スタッカー４０Ａ、及び第２スタッカー４０Ｂの左方であって、且つ、第１メディアドライブ２０Ａ、第２メディアドライブ２０Ｂ、及び、レーベルプリンター３０の前方に、搬送部６０がメディアＭを、上下方向に搬送するための空間が形成されている。そして、当該空間の下方には、後述する第３スタッカー５０が設けられている。
【００２７】
また、図１に示すように、筐体上部１２の前面１２Ｂには、開口部１４が形成されている。この開口部１４の前方には、開口部１４の右端部１４Ａに設けられたドア軸１６に対して回動自在に支持されるドア１５が設けられている。パブリッシャー１は、ドア１５が開口部１４に対して閉状態であることを検出した場合、第１メディアドライブ２０Ａ、第２メディアドライブ２０Ｂ、レーベルプリンター３０、及び、搬送部６０が動作可能に構成されている。なお、ドア１５が開口部１４に対して開状態であることを検出した場合、パブリッシャー１は、第１メディアドライブ２０Ａ、第２メディアドライブ２０Ｂ、レーベルプリンター３０、及び、搬送部６０の動作を停止するように構成される。
【００２８】
筐体上部１２の前面１２Ｂには、図１における正面視において左下方にパブリッシャー１の電源をオンオフする電源スイッチ１８が設けられ、また、図１における正面視において左上方にパブリッシャー１の各種状態等を報知する報知部７０が設けられている。
【００２９】
報知部７０は、例えば報知内容に対応したＬＥＤを備え、ＬＥＤの点灯状態を変えることによって各種状態を報知する。例えば、報知部７０は、パブリッシャー１の電源のオンオフの状態を報知する。また、例えば、報知部７０は、レーベルプリンター３０における各色のインク残量を報知する。
【００３０】
図１に示すように、筐体下部１３には、メディアＭを収納する収納部として、第３スタッカー５０が、筐体下部１３の前面１３Ａに形成された引出口１７から引出可能に設けられる。第３スタッカー５０は、ドア１５が閉じられた状態でも引出口１７から第３スタッカー５０を引き出して、メディアＭの出し入れできるよう構成されている。すなわち、第１メディアドライブ２０Ａ、第２メディアドライブ２０Ｂ、レーベルプリンター３０、及び、搬送部６０が動作している状態であっても、ユーザーは、第３スタッカー５０を引出口１７から引き出して、第３スタッカー５０に対してメディアＭの出し入れを行える。
【００３１】
第３スタッカー５０は、第１メディアドライブ２０Ａ、第２メディアドライブ２０Ｂ、及び、レーベルプリンター３０の下方に並んで設けられる。第３スタッカー５０は、筐体下部１３の前面１３Ａに形成された引出口１７を介して、筐体１０の前方に引き出し可能な第３スタッカー収納部５１を有する。第３スタッカー収納部５１は、メディアＭが積載されて収納される略円形の凹部５２が形成され、この凹部５２に数枚のメディアＭを収納可能である。また、第３スタッカー５０の前面５３には、図１に示すように、第３スタッカー収納部５１を前方に筐体１０から引き出す際にユーザーが把持可能な把手部５４が形成されている。
【００３２】
第３スタッカー５０は、図１において二点鎖線で示すように増設スタッカー５７を取り付け可能に構成される。増設スタッカー５７は、メディアＭを積載して収納可能な有底円筒形状に形成されている。増設スタッカー５７を第３スタッカー５０に取り付けることにより、第３スタッカー５０に収納可能なメディアＭの枚数を、数枚から数十枚に増やすことができる。
【００３３】
図３は、パブリッシャー１の機能的構成を示す図である。
図３に示すように、パブリッシャー１は、制御装置２と共に、メディア処理システム１０００を構成する。本実施形態のメディア処理システム１０００は、パブリッシャー１と制御装置２とにより、記録面にデータが記録されていないメディアＭに対してデータの記録を行い、記録面にデータを記録したメディアＭに対してデータの読み出しを行い、また、レーベル面の印刷を実行して、記録面にデータが記録されたメディアＭを１又は複数枚発行する。
【００３４】
以下の説明では、記録面にデータが記録されていないメディアＭを「ブランクメディア」といい「ＭＢ」の符号を付す。また、レーベル面に画像が印刷され記録面にデータが記録されたメディアＭを「処理済メディア」といい「ＭＳ」の符号を付す。
【００３５】
パブリッシャー１は、パブリッシャー制御部１００と、パブリッシャー通信部１０１と、データ記録部１０２と、印刷部１０３と、搬送部６０とを備える。パブリッシャー制御部１００は、制御部の一例に対応する。
【００３６】
パブリッシャー制御部１００は、ＣＰＵやＭＰＵ等のプログラムを実行するプロセッサーであるパブリッシャープロセッサー１１０、及び、パブリッシャー記憶部１２０を備え、パブリッシャー１の各部を制御する。パブリッシャー記憶部１２０は、記憶部の一例に対応する。パブリッシャー制御部１００は、パブリッシャープロセッサー１１０が、パブリッシャー記憶部１２０に記憶された制御プログラム１２０Ａを読み出して処理を実行するように、ハードウェア、及びソフトウェアの協働により各種処理を実行する。
【００３７】
パブリッシャー記憶部１２０は、パブリッシャープロセッサー１１０が実行するプログラムや、パブリッシャープロセッサー１１０により処理されるデータを記憶する記憶領域を有する。パブリッシャー記憶部１２０は、パブリッシャープロセッサー１１０が実行する制御プログラムである制御プログラム１２０Ａや、その他の各種データを記憶する。また、パブリッシャー記憶部１２０は、対象種類情報１２０Ｂ（対象情報）を記憶する。パブリッシャー記憶部１２０は、プログラムやデータを不揮発的に記憶する不揮発性記憶領域を有する。また、パブリッシャー記憶部１２０は、揮発性記憶領域を備え、パブリッシャープロセッサー１１０が実行するプログラムや処理対象のデータを一時的に記憶するワークエリアを構成してもよい。
【００３８】
パブリッシャー通信部１０１は、所定の通信規格に従った通信ハードウェアにより構成され、パブリッシャー制御部１００の制御で、制御装置２と通信する。なお、通信ハードウェアとしては、通信回路や、通信ポート、通信基板、通信コネクター等のハードウェアが一例として挙げられる。パブリッシャー通信部１０１と制御装置２との間で使用される通信規格は、有線通信に係る規格でも無線通信に係る規格でもよいが、本実施形態ではＵＳＢ規格を例示する。
【００３９】
データ記録部１０２は、ブランクメディアＭＢの記録面にデータを記録する機能部であり、第１メディアドライブ２０Ａ、及び、第２メディアドライブ２０Ｂを含む。なお、データ記録部１０２は、メディアＭからデータを読み出し可能な機能部であってもよい。データ記録部１０２は、パブリッシャー制御部１００の制御に従って、１枚のブランクメディアＭＢに対して、第１メディアドライブ２０Ａ、及び、第２メディアドライブ２０Ｂのいずれかでデータを記録する。
【００４０】
印刷部１０３は、ブランクメディアＭＢのレーベル面、或いは、レーベル面に画像が印刷されていないメディアＭのレーベル面に画像を印刷する機能部である。印刷部１０３は、レーベルプリンター３０や、レーベルプリンター３０にインクを供給するインク供給部等の印刷に係る構成を備え、パブリッシャー制御部１００の制御に従って、メディアＭのレーベル面に画像を印刷する。
【００４１】
搬送部６０は、アーム部６１や、ガイド６２、アーム駆動部６３、メディア把持部６４、メディア把持部６４を駆動する駆動部、その他のメディアＭの搬送に係る構成を備え、パブリッシャー制御部１００の制御に従って、メディアＭを搬送する。
【００４２】
次に、パブリッシャー１の動作について説明する。なお、本動作では、第１メディアドライブ２０Ａ、及び、第２メディアドライブ２０Ｂの記録（書き込み）、又は、読み出し等の処理のうち、記録について説明している。読み出しの処理についても、本動作と同様のフローチャートとなる。
図４は、パブリッシャー１の動作を示すフローチャートである。図４に示すフローチャートの開始時点では、パブリッシャー１の電源がオフとする。
【００４３】
パブリッシャー１のパブリッシャー制御部１００は、パブリッシャー１の電源がオンになったか否かを判別する（ステップＳＡ１）。パブリッシャー制御部１００は、電源スイッチ１８のオンオフ状態に基づいて、ステップＳＡ１の処理を実行する。
【００４４】
パブリッシャー制御部１００は、パブリッシャー１の電源がオンになったと判別した場合（ステップＳＡ１：ＹＥＳ）、第１メディアドライブ２０Ａによってデータを記録可能なメディアＭの種類（データを記録可能なメディアＭ）を検出する（ステップＳＡ２）。
【００４５】
例えば、パブリッシャー制御部１００は、第１メディアドライブ２０Ａに、第１メディアドライブ２０Ａがデータの記録が可能なメディアＭの種類を示す記録可能メディア種類情報を要求するコマンドを送信する。そして、パブリッシャー制御部１００は、第１メディアドライブ２０Ａから受信した記録可能メディア種類情報に基づいて、第１メディアドライブ２０Ａによりデータを記録可能なメディアＭの種類を検出する。記録可能メディア種類情報は、予め第１メディアドライブ２０Ａの所定の記憶領域に記憶されている。第１メディアドライブ２０ＡがＣＤ及びＤＶＤデータを記憶可能な機器である場合、第１メディアドライブ２０Ａは、ＣＤ及びＤＶＤを示す記録可能メディア種類情報を所定の記憶領域に記憶する。この場合、パブリッシャー制御部１００は、第１メディアドライブ２０Ａにコマンドを送信することによって、ＣＤ及びＤＶＤを示す記録可能メディア種類情報を受信する。そして、パブリッシャー制御部１００は、ステップＳＡ２において、第１メディアドライブ２０Ａによりデータを記録可能なメディアＭの種類が、ＣＤ及びＤＶＤであると検出する。
【００４６】
上記の検出方法は、あくまで一例であり、データを記録可能なメディアＭの種類を検出可能な方法であればいずれの方法を採用できる。例えば、パブリッシャー制御部１００は、第１メディアドライブ２０Ａに、第１メディアドライブ２０Ａの型番を要求するコマンドを送信して、第１メディアドライブ２０Ａの型番を第１メディアドライブ２０Ａから受信する。そして、パブリッシャー制御部１００は、制御装置２への問い合わせ等の受信した型番に基づく所定の方法によって、第１メディアドライブ２０Ａによりデータを記録可能なメディアＭの種類を検出する。
【００４７】
パブリッシャー制御部１００は、ステップＳＡ２の処理を実行すると、第２メディアドライブ２０Ｂによりデータを記録可能なメディアＭの種類（データを記録可能なメディアＭ）を検出する（ステップＳＡ３）。パブリッシャー制御部１００は、ステップＳＡ２で説明した検出方法と同様の方法によって、ステップＳＡ３の処理を実行する。
【００４８】
なお、ステップＳＡ２とステップＳＡ３の処理は、ステップＳＡ２、ＳＡ３の順に限定されず、逆でもよいし同時でもよい。
【００４９】
次いで、パブリッシャー制御部１００は、ステップＳＡ２、ＳＡ３での検出結果に基づいて、記録対象種類（対象媒体）と記録非対象種類（非対象媒体）とを検出する（ステップＳ４Ａ）。
【００５０】
記録対象種類とは、パブリッシャー１によるデータの記録において、データの記録対象とするメディアＭの種類（あるいは、メディアＭ）を示す。ステップＳＡ４において、記録対象種類は、第１メディアドライブ２０Ａ、及び、第２メディアドライブ２０Ｂにおいてデータを記録可能なメディアＭの種類である。例えば、第１メディアドライブ２０Ａ及び第２メディアドライブ２０Ｂの両者でＣＤ及びＤＶＤに対してデータが記録可能である場合、記録対象種類はＣＤ及びＤＶＤである。
【００５１】
記録非対象種類とは、パブリッシャー１によるデータの記録において、データの記録対象としないメディアＭの種類（あるいは、メディアＭ）を示す。ステップＳＡ４において、記録非対象種類は、第１メディアドライブ２０Ａ、及び、第２メディアドライブ２０Ｂのいずれか一方のみでデータを記録可能なメディアＭの種類である。例えば、第１メディアドライブ２０ＡがＣＤ及びＤＶＤに対してのみデータの記録可能であり、第２メディアドライブ２０ＢがＣＤ、ＤＶＤ、及びＢＤに対してデータの記録が可能である場合、記録非対象種類は、ＢＤである。
【００５２】
例えば、ステップＳＡ２での検出結果がＣＤ及びＤＶＤであり、ステップＳＡ３での検出結果がＣＤ、ＤＶＤ、及びＢＤであったとする。この場合、パブリッシャー制御部１００は、記録対象種類としてＣＤ及びＤＶＤを検出し、記録非対象種類としてＢＤを検出する。
また、例えば、ステップＳＡ２での検出結果がＣＤ、ＤＶＤ、及びＢＤであり、ステップＳＡ３での検出結果がＣＤ、ＤＶＤ、及びＢＤであったとする。この場合、パブリッシャー制御部１００は、記録対象種類としてＣＤ、ＤＶＤ、及びＢＤを検出し、記録非対象種類がないことを検出する。
【００５３】
パブリッシャー制御部１００は、記録対象種類と記録非対象種類とを検出すると、検出した記録対象種類と記録非対象種類とを示す対象種類情報１２０Ｂをパブリッシャー記憶部１２０に記憶させる（ステップＳＡ５）。
【００５４】
例えば、ステップＳＡ４において、記録対象種類としてＣＤ及びＤＶＤを検出し、記録非対象種類としてＢＤを検出したとする。この場合、パブリッシャー制御部１００は、ＣＤ及びＤＶＤを示す記録対象種類、及び、ＢＤを示す記録非対象種類を示す対象種類情報１２０Ｂを、パブリッシャー記憶部１２０に記憶させる。
【００５５】
次いで、パブリッシャー制御部１００は、第１メディアドライブ２０Ａ、及び、第２メディアドライブ２０Ｂのいずれかが他のメディアドライブ２０に交換されたか否かを判別する（ステップＳＡ６）。他のメディアドライブ２０は、第３のデータ記録機器の一例に対応する。なお、他のメディアドライブ２０は、第１メディアドライブ２０Ａ、及び、第２メディアドライブ２０Ｂと異なるメディアドライブ２０である。パブリッシャー１には、２つのメディアドライブ２０のそれぞれについて着脱を検出するセンサーが設けられている。パブリッシャー制御部１００は、このセンサーの出力に基づいて、第１メディアドライブ２０Ａ、及び、第２メディアドライブ２０Ｂのいずれかが交換されたか否かを判別する。
【００５６】
パブリッシャー制御部１００は、第１メディアドライブ２０Ａ、及び、第２メディアドライブ２０Ｂのいずれかが他のメディアドライブ２０に交換されていないと判別した場合（ステップＳＡ６：ＮＯ）、パブリッシャー１の電源がオフになったか否かを判別する（ステップＳＡ１１）。
【００５７】
パブリッシャー制御部１００は、パブリッシャー１の電源がオフになっていないと判別した場合（ステップＳＡ１１：ＮＯ）、処理をステップＳＡ６に戻す。一方で、パブリッシャー制御部１００は、パブリッシャー１の電源がオフになったと判別した場合（ステップＳＡ１１：ＹＥＳ）、本処理を終了する。
【００５８】
ステップＳＡ６の説明に戻り、パブリッシャー制御部１００は、第１メディアドライブ２０Ａ、及び、第２メディアドライブ２０Ｂのいずれかが他のメディアドライブ２０に交換されたと判別した場合（ステップＳＡ６：ＹＥＳ）、交換されていないメディアドライブ２０によりデータを記録可能なメディアＭの種類を検出する（ステップＳＡ７）。ステップＳＡ７において、パブリッシャー制御部１００は、ステップＳＡ２と同様の検出方法によって検出する。
【００５９】
次いで、パブリッシャー制御部１００は、交換された他のメディアドライブ２０によりデータを記録可能なメディアＭの種類を検出する（ステップＳＡ８）。ステップＳＡ８において、パブリッシャー制御部１００は、ステップＳＡ２と同様の検出方法によって検出する。
【００６０】
なお、ステップＳＡ７とステップＳＡ８の処理は、ステップＳＡ７、ＳＡ８の順に限定されず、逆でもよいし同時でもよい。また、交換されていないメディアドライブ２０の検出結果をパブリッシャー記憶部１２０により記憶している場合、パブリッシャー制御部１００は、ステップＳＡ７の処理をスキップしてもよい。
【００６１】
次いで、パブリッシャー制御部１００は、ステップＳＡ７、ＳＡ８での検出結果に基づいて、記録対象種類と記録非対象種類とを検出する（ステップＳＡ９）。
【００６２】
例えば、ステップＳＡ７での検出結果がＣＤ及びＤＶＤであり、ステップＳＡ８での検出結果がＣＤ、ＤＶＤ、及びＢＤであったとする。この場合、パブリッシャー制御部１００は、記録対象種類としてＣＤ及びＤＶＤを検出し、記録非対象種類としてＢＤを検出する。
また、例えば、ステップＳＡ７での検出結果がＣＤ、ＤＶＤ、及びＢＤであり、ステップＳＡ８での検出結果がＣＤ、ＤＶＤ、及びＢＤであったとする。この場合、パブリッシャー制御部１００は、記録対象種類としてＣＤ、ＤＶＤ、及びＢＤを検出し、記録非対象種類がないことを検出する。
【００６３】
パブリッシャー制御部１００は、記録対象種類と記録非対象種類とを検出すると、パブリッシャー記憶部１２０が記憶する対象種類情報１２０Ｂを、ステップＳＡ９で検出した記録対象種類と記録非対象種類とを示す対象種類情報１２０Ｂに更新する（ステップＳＡ１０）。
【００６４】
例えば、ＣＤ及びＤＶＤにデータを記録可能な第１メディアドライブ２０Ａ及び第２メディアドライブ２０Ｂのうち、第２メディアドライブ２０Ｂが、ＣＤ、ＤＶＤ、及びＢＤに記録可能な他のメディアドライブ２０に交換されたとする。この場合、パブリッシャー記憶部１２０が記憶する対象種類情報１２０Ｂは、ＣＤ及びＤＶＤを示す記録対象種類、及び、ＢＤを示す記録非対象種類を示す対象種類情報１２０Ｂに更新される。
【００６５】
次いで、パブリッシャー制御部１００は、ステップＳＡ１０の処理を実行すると、ステップＳＡ１１の処理を実行する。
【００６６】
このように、パブリッシャー制御部１００は、パブリッシャー１の電源がオンになったタイミング、及び、メディアドライブ２０が交換されたタイミングで、記録対象種類と記録非対象種類とを検出し、対象種類情報１２０Ｂをパブリッシャー記憶部１２０に記憶させる。
【００６７】
本実施形態のパブリッシャー１は、図４に示す動作を実行することによって、パブリッシャー記憶部１２０に記憶された対象種類情報１２０Ｂに基づき、ブランクメディアＭＢを処理して処理済メディアＭＳを発行する。
【００６８】
図５は、パブリッシャー１の動作を示すフローチャートである。なお、図４と同様に、本動作では、第１メディアドライブ２０Ａ、及び、第２メディアドライブ２０Ｂの記録（書き込み）、又は、読み出し等の処理のうち、記録について説明している。読み出しの処理についても、本動作と同様のフローチャートとなる。図５では、パブリッシャー１の電源がオンであるとする。図５に示すフローチャートの開始時点では、ブランクメディアＭＢが、少なくとも第１スタッカー４０Ａ、及び、第２スタッカー４０Ｂのいずれかに収納されているとする。
【００６９】
パブリッシャー１のパブリッシャー制御部１００は、パブリッシャー通信部１０１を介して、制御装置２から、ブランクメディアＭＢへのデータの記録が要求されたか否かを判別する（ステップＳＢ１）。
【００７０】
例えば、制御装置２は、予めインストールされたプログラムの機能によって、パブリッシャー１に処理させるブランクメディアＭＢの種類を設定可能であるとする。この場合、制御装置２は、設定されたブランクメディアＭＢの種類を示す情報を含む要求情報をパブリッシャー１に送信する。そして、パブリッシャー制御部１００は、当該要求情報を受信すると、制御装置２から、ブランクメディアＭＢへのデータの記録が要求されたと判別する。
【００７１】
パブリッシャー１のパブリッシャー制御部１００は、データの記録が要求されたと判別した場合（ステップＳＢ１：ＹＥＳ）、処理対象のブランクメディアＭＢの種類が、パブリッシャー記憶部１２０が記憶する対象種類情報１２０Ｂが示す記録対象種類であるか否かを判別する（ステップＳＢ２）。パブリッシャー制御部１００は、制御装置２から受信した要求情報が示すブランクメディアＭＢの種類に基づいて、ステップＳＢ２の判別を実行する。
【００７２】
パブリッシャー制御部１００は、要求情報が示すブランクメディアＭＢの種類が、対象種類情報１２０Ｂが示す記録対象種類でない場合、すなわち、要求情報が示すブランクメディアＭＢの種類が、対象種類情報１２０Ｂが示す記録非対象種類である場合、データの記録が実行できない旨の情報を、パブリッシャー通信部１０１によって制御装置２へ送信する（ステップＳＢ３）。そして、パブリッシャー制御部１００は、ブランクメディアＭＢへのデータの記録を実行することなく処理を終了する。
【００７３】
一方で、パブリッシャー制御部１００は、要求情報が示すブランクメディアＭＢの種類が、対象種類情報１２０Ｂが示す記録対象種類である場合（ステップＳＢ２：ＹＥＳ）、データの記録が実行できる旨の情報を、パブリッシャー通信部１０１によって制御装置２へ送信する（ステップＳＢ４）。
【００７４】
次いで、パブリッシャー制御部１００は、ブランクメディアＭＢに対する処理の実行を指示する処理実行コマンドを受信したか否かを判別する（ステップＳＢ５）。
【００７５】
パブリッシャー制御部１００は、処理実行コマンドを受信したと判別した場合（ステップＳＢ５：ＹＥＳ）、処理実行コマンドに従って、データ記録部１０２、印刷部１０３、及び、搬送部６０を制御し、１又は複数の処理済メディアＭＳを発行する（ステップＳＢ６）。
【００７６】
ここで、複数枚の処理済メディアＭＳを発行する場合のステップＳＢ６におけるパブリッシャー１の動作を説明する。
なお、パブリッシャー１は、制御装置２から受信した処理実行コマンドに従って処理を実行する。この処理実行コマンドは、制御装置２によって指定されたデータであって、ブランクメディアＭＢの記録面に記録するデータ、ブランクメディアＭＢのレーベル面に印刷する画像の画像データ、発行枚数を示すデータ等の各種データが含まれている。また、この処理実行コマンドは、搬送部６０による搬送を指示するコマンド、メディアドライブ２０にデータの記録を指示するコマンド、レーベルプリンター３０による印刷を指示するコマンド等の各種コマンドを含む。
【００７７】
パブリッシャー１は、第１スタッカー４０Ａ、又は、第２スタッカー４０Ｂに収納されたブランクメディアＭＢを、１枚、搬送部６０によって、２つのメディアドライブ２０のいずれかに搬送し、いずれかのメディアドライブ２０によってデータの記録を開始する。その後、パブリッシャー１は、第１スタッカー４０Ａ、又は、第２スタッカー４０Ｂに収納されたブランクメディアＭＢを、さらに１枚、搬送部６０によって、記録を行っていないメディアドライブ２０に搬送して、データの記録を開始する。このように、同時に２枚のブランクメディアＭＢにデータの記録を実行できるため処理効率が向上する。
【００７８】
パブリッシャー１は、いずれかのメディアドライブ２０でデータの記録が終了すると、搬送部６０によって、記録が終了したメディアドライブ２０からメディアＭを取り出して、レーベルプリンター３０に搬送し、レーベルプリンター３０によってレーベル面への画像の印刷を開始する。ここで、さらに処理するブランクメディアＭＢがある場合、パブリッシャー１は、第１スタッカー４０Ａ、又は、第２スタッカー４０Ｂに収納されたブランクメディアＭＢを、１枚、搬送部６０によって、ブランクメディアＭＢが載置されていないメディアドライブ２０に搬送し、データの記録を実行する。
【００７９】
レーベルプリンター３０による印刷が終了すると、パブリッシャー１は、レーベルプリンター３０から処理済メディアＭＳを取り出して、第３スタッカー５０に収納する。ここで、パブリッシャー１は、いずれかのメディアドライブ２０でデータの記録が終了すると、搬送部６０によって、記録が終了したメディアドライブ２０からメディアＭを取り出して、レーベルプリンター３０に搬送し、レーベルプリンター３０によってレーベル面への画像の印刷を開始する。
そして、パブリッシャー１は、処理するブランクメディアＭＢがさらにある場合、メディアドライブ２０への搬送及びデータの記録と、レーベルプリンター３０への搬送及びレーベル面の画像印刷とを繰り返す。
【００８０】
このように、パブリッシャー１は、搬送部６０、第１メディアドライブ２０Ａ、第２メディアドライブ２０Ｂ、及び、レーベルプリンター３０の動作によって、複数枚の処理済メディアＭＳが発行する。
【００８１】
以上、説明したように、パブリッシャー１は、第１メディアドライブ２０Ａ、及び、第２メディアドライブ２０Ｂによって、メディアＭにデータを記録可能（記録、又は、読み出しの処理が可能）である。パブリッシャー１は、第１メディアドライブ２０Ａ、及び、第２メディアドライブ２０Ｂを制御するパブリッシャー制御部１００と、パブリッシャー記憶部１２０と、を備える。パブリッシャー制御部１００は、第１メディアドライブ２０Ａによりデータを記録可能なメディアＭを検出し、第２メディアドライブ２０Ｂによりデータを記録可能なメディアＭを検出する。また、パブリッシャー制御部１００は、検出結果に基づいて、第１メディアドライブ２０Ａ、及び、第２メディアドライブ２０Ｂにおいてデータを記録可能なメディアＭを、データの記録対象とするメディアＭを示す記録対象種類とする。また、パブリッシャー制御部１００は、検出結果に基づいて、第１メディアドライブ２０Ａ、及び、第２メディアドライブ２０Ｂのいずれか一方のみでデータを記録可能なメディアＭを、データの記録対象としないメディアＭを示す記録非対象種類とする。そして、パブリッシャー制御部１００は、記録対象種類、及び、記録非対象種類を示す対象種類情報１２０Ｂをパブリッシャー記憶部１２０に記憶させる。
【００８２】
この構成によれば、パブリッシャー１は、データを記録可能なメディアＭが第１メディアドライブ２０Ａ、及び、第２メディアドライブ２０Ｂで異なる場合、データの記録対象とするメディアＭの種類を、２つのメディアドライブ２０によってデータを記録可能なメディアＭの種類に制限する。そのため、パブリッシャー１は、データを記録可能なメディアＭが第１メディアドライブ２０Ａ、及び、第２メディアドライブ２０Ｂで異なる場合、第１メディアドライブ２０Ａ、及び、第２メディアドライブ２０ＢのいずれかでしかメディアＭを処理できないといった状況が発生することを防止できる。したがって、パブリッシャー１は、データを記録可能なメディアＭが第１メディアドライブ２０Ａ、及び、第２メディアドライブ２０Ｂで異なる場合でも、処理効率が低下することなくメディアＭに対してデータを記録することができる。
【００８３】
パブリッシャー制御部１００は、第１メディアドライブ２０Ａ、又は、第２メディアドライブ２０Ｂが、他のメディアドライブ２０へ交換された場合、他のメディアドライブ２０によりデータを記録可能なメディアＭの種類を検出し、検出結果に基づいてパブリッシャー記憶部１２０に記憶された対象種類情報１２０Ｂを更新する。
【００８４】
この構成によれば、第１メディアドライブ２０Ａ、又は、第２メディアドライブ２０Ｂが他のメディアドライブ２０に交換された場合でも、パブリッシャー１は、データの記録対象とするメディアＭの種類、及び、データの記録対象としないメディアＭの種類を適切に更新できる。したがって、第１メディアドライブ２０Ａ、又は、第２メディアドライブ２０Ｂが他のメディアドライブ２０に交換された場合でも、パブリッシャー１は、処理効率が低下することなくメディアＭに対してデータを記録することができる。
【００８５】
パブリッシャー制御部１００は、メディアＭに対して、第１メディアドライブ２０Ａ、又は、第２メディアドライブ２０Ｂによるデータの記録が要求された場合、要求されたメディアＭの種類が記録対象種類であれば、第１メディアドライブ２０Ａ、又は、第２メディアドライブ２０Ｂによるデータの記録を実行し、要求されたメディアＭの種類が記録非対象種類であれば、第１メディアドライブ２０Ａ、又は、第２メディアドライブ２０Ｂによるデータの記録を実行しない。
【００８６】
この構成によれは、パブリッシャー１は、データを記録可能なメディアＭの種類が第１メディアドライブ２０Ａ、及び、第２メディアドライブ２０Ｂで異なる場合、共通しない種類のメディアＭに応じた動作を実行する構成とする必要が無い。したがって、パブリッシャー１は、データを記録可能なメディアＭが第１メディアドライブ２０Ａ、及び、第２メディアドライブ２０Ｂで異なる場合でも、動作が複雑化することを防止できる。
【００８７】
［第２実施形態］
次に、第２実施形態について説明する。
図６は、第２実施形態におけるメディア処理システム１０００Ａの構成を示す図である。第２実施形態におけるパブリッシャー１、及び、制御装置２の各部の構成について、第１実施形態の各部と同じ構成である場合、同一の符号を付して詳細な説明を省略する。
【００８８】
第２実施形態のパブリッシャー１は、第１実施形態のパブリッシャー１と比較して明らかな通り、ＵＳＢハブ１０４を有する。
【００８９】
ＵＳＢハブ１０４は、制御装置２と、第１メディアドライブ２０Ａ、第２メディアドライブ２０Ｂ、レーベルプリンター３０、及び、搬送部６０とを通信接続する通信インターフェースである。ＵＳＢハブ１０４は、第１メディアドライブ２０Ａ、第２メディアドライブ２０Ｂ、レーベルプリンター３０、及び、搬送部６０に出力するコマンドやデータの分配を行うＵＳＢハブコントローラー１０４１を備える。パブリッシャー１が備える第１メディアドライブ２０Ａ、第２メディアドライブ２０Ｂ、レーベルプリンター３０、及び、搬送部６０は、ＵＳＢハブ１０４を介してＵＳＢケーブル３により制御装置２に接続される。
【００９０】
制御装置２は、制御装置制御部２００と、制御装置通信部２０１と、制御装置入力部２０２と、制御装置表示部２０３とを備える。
【００９１】
制御装置制御部２００は、ＣＰＵやＭＰＵ等のプログラムを実行するプロセッサーである制御装置プロセッサー２１０、及び、制御装置記憶部２２０を備え、制御装置２の各部を制御する。制御装置制御部２００は、制御装置プロセッサー２１０が、制御装置記憶部２２０に記憶された制御プログラム２２０Ａやドライバーソフト２２０Ｂ等を読み出して処理を実行するように、ハードウェア、及びソフトウェアの協働により各種処理を実行する。
【００９２】
制御装置記憶部２２０は、制御装置プロセッサー２１０が実行するプログラムや、制御装置プロセッサー２１０により処理されるデータを記憶する記憶領域を有する。制御装置記憶部２２０は、制御装置プロセッサー２１０が実行する制御プログラム２２０Ａや、ドライバーソフト２２０Ｂ、対象種類情報１２０Ｂ、その他の各種データを記憶する。ドライバーソフト２２０Ｂは、制御装置プロセッサー２１０が、図７及び図８の動作を実行するためのプログラムである。制御装置記憶部２２０は、プログラムやデータを不揮発的に記憶する不揮発性記憶領域を有する。また、制御装置記憶部２２０は、揮発性記憶領域を備え、制御装置プロセッサー２１０が実行するプログラムや処理対象のデータを一時的に記憶するワークエリアを構成してもよい。
【００９３】
制御装置通信部２０１は、ＵＳＢ通信規格に従った通信ハードウェアにより構成され、制御装置制御部２００の制御で、パブリッシャー１と通信する。なお、制御装置通信部２０１がパブリッシャー１と通信する通信規格は、ＵＳＢ通信規格に限定されない。
【００９４】
制御装置入力部２０２は、制御装置２に設けられた操作スイッチや、制御装置２と接続したキーボード、タッチパネル等の入力手段を備え、制御装置２を操作するユーザーの入力手段に対する操作を検出し、制御装置制御部２００に出力する。制御装置制御部２００は、制御装置入力部２０２からの入力に基づいて、入力手段に対する操作に対応する処理を実行する。
【００９５】
制御装置表示部２０３は、液晶表示パネル等の表示パネルを備え、制御装置制御部２００の制御に従って、各種情報を表示する。
【００９６】
図７は、制御装置２の動作を示すフローチャートである。
図７は、制御装置２の動作を示すフローチャートである。図７に示すフローチャートの開始時点では、パブリッシャー１の電源がオフとする。
【００９７】
制御装置２の制御装置制御部２００は、パブリッシャー１の電源がオンになったか否かを判別する（ステップＳＣ１）。例えば、パブリッシャー１が、電源スイッチ１８のオンオフ状態を示す信号を、ＵＳＢハブ１０４を介して制御装置２に送信する構成である場合、制御装置制御部２００は、当該信号に基づいて、ステップＳＢ１の処理を実行する。
【００９８】
制御装置制御部２００は、パブリッシャー１の電源がオンになったと判別した場合（ステップＳＣ１：ＹＥＳ）、制御装置通信部２０１を介してコマンドをパブリッシャー１に送信して、第１メディアドライブ２０Ａによりデータを記録可能なメディアＭの種類を検出する（ステップＳＣ２）。当該コマンドは、例えば記録可能メディア情報や型番を要求するコマンドであって、データを記録可能なメディアＭの種類を検出するためのコマンドである。制御装置制御部２００は、送信したコマンドに対する応答に基づいて、第１メディアドライブ２０Ａによりデータを記録可能なメディアＭの種類を検出する。
【００９９】
次いで、制御装置制御部２００は、制御装置通信部２０１を介してコマンドをパブリッシャー１に送信して、第２メディアドライブ２０Ｂによりデータを記録可能なメディアＭを検出する（ステップＳＣ３）。当該コマンドは、例えば記録可能メディア情報や型番を要求するコマンドであって、データを記録可能なメディアＭの種類を検出するためのコマンドである。制御装置制御部２００は、送信したコマンドに対する応答に基づいて、第２メディアドライブ２０Ｂによりデータを記録可能なメディアＭの種類を検出する。
【０１００】
なお、ステップＳＣ２とステップＳＣ３の処理は、ステップＳＣ２、ＳＣ３の順に限定されず、逆でもよいし同時でもよい。
【０１０１】
次いで、制御装置制御部２００は、ステップＳＣ２、ＳＣ３での検出結果に基づいて、記録対象種類と記録非対象種類とを検出する（ステップＳＣ４）。
【０１０２】
制御装置制御部２００は、記録対象種類と記録非対象種類とを検出すると、検出した記録対象種類と記録非対象種類とを示す対象種類情報１２０Ｂを制御装置記憶部２２０に記憶させる（ステップＳＣ５）。
【０１０３】
次いで、制御装置制御部２００は、第１メディアドライブ２０Ａ、及び、第２メディアドライブ２０Ｂのいずれかが他のメディアドライブ２０に交換されたか否かを判別する（ステップＳＣ６）。パブリッシャー１には、２つのメディアドライブ２０のそれぞれについて着脱を検出するセンサーが設けられている。パブリッシャー１は、このセンサーの検出値をＵＳＢハブ１０４を介して制御装置２に送信する。制御装置制御部２００は、受信した検出値に基づいて、第１メディアドライブ２０Ａ、及び、第２メディアドライブ２０Ｂのいずれかが交換されたか否かを判別する。
【０１０４】
制御装置制御部２００は、第１メディアドライブ２０Ａ、及び、第２メディアドライブ２０Ｂのいずれかが他のメディアドライブ２０に交換されていないと判別した場合（ステップＳＣ６：ＮＯ）、パブリッシャー１の電源がオフになったか否かを判別する（ステップＳＣ１１）。
【０１０５】
制御装置制御部２００は、パブリッシャー１の電源がオフになっていないと判別した場合（ステップＳＣ１１：ＮＯ）、処理をステップＳＢ６に戻す。一方で、制御装置制御部２００は、パブリッシャー１の電源がオフになったと判別した場合（ステップＳＣ１１：ＹＥＳ）、本処理を終了する。
【０１０６】
ステップＳＢ６の説明に戻り、制御装置制御部２００は、第１メディアドライブ２０Ａ、及び、第２メディアドライブ２０Ｂのいずれかが他のメディアドライブ２０に交換されたと判別した場合（ステップＳＣ６：ＹＥＳ）、制御装置通信部２０１を介してコマンドをパブリッシャー１に送信して、交換されていないメディアドライブ２０によりデータを記録可能なメディアＭの種類を検出する（ステップＳＣ７）。当該コマンドは、例えば記録可能メディア情報や型番を要求するコマンドであって、データを記録可能なメディアＭの種類を検出するためのコマンドである。制御装置制御部２００は、送信したコマンドに対する応答に基づいて、交換されていないメディアドライブ２０によりデータを記録可能なメディアＭの種類を検出する。
【０１０７】
次いで、パブリッシャー制御部１００は、制御装置通信部２０１を介してコマンドをパブリッシャー１に送信して、交換された他のメディアドライブ２０によりデータを記録可能なメディアＭを検出する（ステップＳＣ８）。当該コマンドは、例えば記録可能メディア情報や型番を要求するコマンドであって、データを記録可能なメディアＭの種類を検出するためのコマンドである。制御装置制御部２００は、送信したコマンドに対する応答に基づいて、交換された他のメディアドライブ２０によりデータを記録可能なメディアＭの種類を検出する。
【０１０８】
なお、ステップＳＣ７とステップＳＣ８の処理は、ステップＳＢＣ７、ＳＣ８の順に限定されず、逆でもよいし同時でもよい。また、交換されていないメディアドライブ２０の検出結果をパブリッシャー記憶部１２０により記憶している場合、制御装置制御部２００は、ステップＳＣ７の処理をスキップしてもよい。
【０１０９】
次いで、制御装置制御部２００は、ステップＳＣ７、ＳＣ８での検出結果に基づいて、記録対象種類と記録非対象種類とを検出する（ステップＳＣ９）。
【０１１０】
制御装置制御部２００は、記録対象種類と記録非対象種類とを検出すると、制御装置記憶部２２０が記憶する対象種類情報１２０Ｂを、ステップＳＣ９で検出した記録対象種類と記録非対象種類とを示す対象種類情報１２０Ｂに更新する（ステップＳＣ１０）。
【０１１１】
次いで、制御装置制御部２００は、ステップＳＣ１０の処理を実行すると、ステップＳＣ１１の処理を実行する。
【０１１２】
このように、制御装置制御部２００は、パブリッシャー１の電源がオンになったタイミング、及び、メディアドライブ２０が交換されたタイミングで、記録対象種類と記録非対象種類とを検出し、対象種類情報１２０Ｂを制御装置記憶部２２０に記憶させる。
【０１１３】
本実施形態の制御装置２は、図７に示す動作を実行することによって、制御装置記憶部２２０に記憶された対象種類情報１２０Ｂに基づき、パブリッシャー１にブランクメディアＭＢを処理させて処理済メディアＭＳを発行させる。
【０１１４】
図８は、制御装置２の動作を示すフローチャートである。図８では、パブリッシャー１の電源がオンであるとする。図８に示すフローチャートの開始時点では、ブランクメディアＭＢが少なくとも第１スタッカー４０Ａ、及び、第２スタッカー４０Ｂのいずれかに収納されているとする。
【０１１５】
制御装置２の制御装置制御部２００は、パブリッシャー１にブランクメディアＭＢへのデータの記録を実行させるか否かを判別する（ステップＳＤ１）。
【０１１６】
例えば、制御装置２には、ドライバーソフト２２０Ｂの機能によって、パブリッシャー１にブランクメディアＭＢへのデータの記録の実行を指示するユーザーインターフェースが提供されているとする。この場合、制御装置２は、ユーザーインターフェースにおいて、当該指示があった場合に、ステップＳＤ１において肯定判別する。
【０１１７】
制御装置２の制御装置制御部２００は、データの記録を実行させると判別した場合（ステップＳＤ１：ＹＥＳ）、パブリッシャー１に処理させるブランクメディアＭＢの種類が、制御装置記憶部２２０が記憶する対象種類情報１２０Ｂが示す記録対象種類であるか否かを判別する（ステップＳＤ２）。
【０１１８】
例えば、制御装置２は、ドライバーソフト２２０Ｂの機能によって、パブリッシャー１に処理させるブランクメディアＭＢの種類を設定可能であるとする。この場合、ステップＳＤ２において、制御装置２は、設定されたブランクメディアＭＢの種類が、制御装置記憶部２２０が記憶する対象種類情報１２０Ｂが示す記録対象種類であるか否かを判別する。
【０１１９】
制御装置制御部２００は、パブリッシャー１に処理させるブランクメディアＭＢの種類が、対象種類情報１２０Ｂが示す記録対象種類でない場合、すなわち、処理させるブランクメディアＭＢが、対象種類情報１２０Ｂが示す記録非対象種類である場合、データの記録が実行できない旨を制御装置表示部２０３により報知する（ステップＳＤ３）。そして、制御装置制御部２００は、パブリッシャー１にブランクメディアＭＢにデータの記録を実行させることなく処理を終了する。
【０１２０】
一方で、制御装置制御部２００は、パブリッシャー１に処理させるブランクメディアＭＢの種類が、対象種類情報１２０Ｂが示す記録対象種類である場合（ステップＳＤ２：ＹＥＳ）、ブランクメディアＭＢの処理の実行を指示する処理実行コマンドを制御装置通信部２０１を介してパブリッシャー１に送信する（ステップＳＤ４）。この処理実行コマンドの送信によって、パブリッシャー１は、ブランクメディアＭＢを１又は複数処理して、処理済メディアＭＳを１又は複数発行する。
【０１２１】
以上説明したように、第２実施形態では、制御装置２が、パブリッシャー１が具備する２つのメディアドライブ２０に関する処理を実行する。第２実施形態の構成であっても、第１実施形態と同様の効果を奏する。
【０１２２】
上述した各実施形態は、あくまでも本発明の一態様を示すものであり、本発明の範囲内で任意に変形および応用が可能である。
【０１２３】
パブリッシャー１は、第１のデータ記録機器、又は、第２のデータ記録機器に限らず、より多くのデータ記録機器（複数のデータ記録機器）を備えていてもよい。この場合、複数のデータ記録機器によりデータを処理可能なデータ記録媒体を検出し、検出結果に基づいて、複数の前記データ記録機器の全てにおいて、データを処理可能なデータ記録媒体を、データの処理対象とする対象媒体とし、検出結果に基づいて、複数のデータ記録機器のうち、一のデータ記録機器でデータを処理不可能なデータ記録媒体を、データの処理対象としない非対象媒体とする。
【０１２４】
例えば、ＣＤ、ＤＶＤ、及びＢＤの規格に応じて、パブリッシャー制御部１００、及び、制御装置制御部２００は、記録対象種類、及び、記録非対象種類を検出する構成でもよい。
【０１２５】
また、パブリッシャー制御部１００、及び、制御装置制御部２００の機能は、複数のプロセッサー、又は、半導体チップにより実現してもよい。
【０１２６】
また、図３、及び図６に示した各部は一例であって、具体的な実装形態は特に限定されない。つまり、必ずしも各部に個別に対応するハードウェアが実装される必要はなく、一つのプロセッサーがプログラムを実行することで各部の機能を実現する構成とすることも勿論可能である。また、上述した実施形態においてソフトウェアで実現される機能の一部をハードウェアとしてもよく、或いは、ハードウェアで実現される機能の一部をソフトウェアで実現してもよい。その他、パブリッシャー１、及び、制御装置２の他の各部の具体的な細部構成についても、本発明の趣旨を逸脱しない範囲で任意に変更可能である。
【０１２７】
また、例えば、図４、図５、図７、及び、図８に示す動作のステップ単位は、パブリッシャー１、及び、制御装置２の各部の動作の理解を容易にするために、主な処理内容に応じて分割したものであり、処理単位の分割の仕方や名称によって、本発明が限定されることはない。処理内容に応じて、さらに多くのステップ単位に分割してもよい。また、１つのステップ単位がさらに多くの処理を含むように分割してもよい。また、そのステップの順番は、本発明の趣旨に支障のない範囲で適宜に入れ替えてもよい。
【符号の説明】
【０１２８】
１…パブリッシャー（記録媒体処理装置）、２…制御装置、２０…メディアドライブ、２０Ａ…第１メディアドライブ（第１のデータ記録機器）、２０Ｂ…第２メディアドライブ（第２のデータ記録機器）、３０…レーベルプリンター、６０…搬送部、１００…パブリッシャー制御部（制御部）、１２０…パブリッシャー記憶部（記憶部）、１２０Ｂ…対象種類情報、３０１…キャリッジ、３０２…インクジェットヘッド、Ｍ…メディア（データ記録媒体）。
【図１】
2020181625.tif 000003
【図２】
2020181625.tif 000004
【図３】
2020181625.tif 000005
【図４】
2020181625.tif 000006
【図５】
2020181625.tif 000007
【図６】
2020181625.tif 000008
【図７】
2020181625.tif 000009
【図８】
2020181625.tif 000010